(57)【特許請求の範囲】
【請求項１】
階段の一側端の壁面に、該階段の勾配と略等しい傾斜でのびる長尺状の取付枠を固着し、
かつこの取付枠に、前記階段を照らす１以上の照明具を取付けるとともに、
前記取付枠は、前記壁面に固着される基枠体と、この基枠体に脱着自在に取付けできかつ取付により長手方向にのびる空所を形成するカバー体とからなり、
かつ前記照明具の配線を前記空所に納め、
前記カバー体は、前記配線を覆う配線カバー部と、前記照明具を覆う透光性材料からなる照明カバー部とを含み、該照明カバー部は断面形状が配線カバー部と同一の第１の照明カバー部と、この第１の照明カバー部の外側に取り付けされる第２の照明カバー部とを含むとともに、この第２の照明カバー部は凸面をなす拡散レンズ部を具えることを特徴とする階段照明装置。
【請求項２】
前記取付枠は、前記壁体の足元位置に設けられた雑巾摺りに沿って配されたことを特徴とする請求項１記載の階段照明装置。
【請求項３】
前記照明具は、前記基枠体にスライド自在に取り付けされることを特徴とする請求項１又は２記載の階段照明装置。
【発明の詳細な説明】
【０００１】
【発明の属する技術分野】
本発明は、見映えを損ねることなく施工性を向上しうる階段照明装置に関する。
【０００２】
【従来の技術及び発明が解決しようとする課題】
従来、階段の一側端の壁面などに、該階段を照らす照明具を設け、階段の使い勝手及び安全性を向上することが行われている。
【０００３】
しかしながら、前記照明具は、通常、前記壁面に開口部を設けて該壁面に埋め込み状態で配され、しかもその配線も壁面内を通して行うなど、施工が大がかりとなり、また照明具の位置変更などにも容易に対応できず汎用性に欠けるという不具合があった。
【０００４】
本発明は、以上のような実状に鑑み案出なされたもので、階段の一側端の壁面に、該階段の勾配と略等しい傾斜でのびる長尺状の取付枠を固着し、かつこの取付枠に、前記階段を照らす１以上の照明具を取付けるとともに、前記照明具の配線を前記取付枠の内部に形成される空所に納めることを基本として、美観を損ねることなくかつ施工性に優れ、しかも照明具の位置変更なども比較的容易に行いうる階段照明装置を提供することを目的としている。
【０００５】
【課題を解決するための手段】
本発明のうち請求項１記載の発明は、階段の一側端の壁面に、該階段の勾配と略等しい傾斜でのびる長尺状の取付枠を固着し、かつこの取付枠に、前記階段を照らす１以上の照明具を取付けるとともに、前記取付枠は、前記壁面に固着される基枠体と、この基枠体に脱着自在に取付けできかつ取付により長手方向にのびる空所を形成するカバー体とからなり、かつ前記照明具の配線を前記空所に納め、  前記カバー体は、前記配線を覆う配線カバー部と、前記照明具を覆う透光性材料からなる照明カバー部とを含み、該照明カバー部は断面形状が配線カバー部と同一の第１の照明カバー部と、この第１の照明カバー部の外側に取り付けされる第２の照明カバー部とを含むとともに、この第２の照明カバー部は凸面をなす拡散レンズ部を具えることを特徴とする階段照明装置である。
【０００６】
また請求項２記載の発明は、前記取付枠は、前記壁体の足元位置に設けられた雑巾摺りに沿って配されたことを特徴とする請求項１記載の階段照明装置である。
【０００７】
また請求項３記載の発明は、前記照明具は、前記基枠体にスライド自在に取り付けされることを特徴とする請求項１又は２記載の階段照明装置である。
【０００９】
【発明の実施の形態】
以下本発明の実施の一形態を図面に基づき説明する。
図１は本実施形態の階段照明装置を用いた階段の正面図、図２はその要部斜視図、図３は階段部分の拡大断面図である。図において、本実施形態の階段照明装置１は、階段２の一側端の壁面３に設けられる。
【００１０】
前記階段２は、本実施形態では家屋内部に設けられた屋内階段であって、例えば折れ曲がり部２ａと、該折れ曲がり部２ａに連なり階下Ｆ１に通じる直線状の下部分２ｂと、前記折れ曲がり部２ａに連なり階上Ｆ２に通じる直線状の上部分２ｃとを有した折れ階段を例示している。ただし、本発明の階段照明装置１は、折れ階段に限定されることなく、直進階段や急折れ階段など種々の形態の階段に用いうるのは言うまでもない。
【００１１】
前記階段２の両側端には、例えば壁体Ｗａ、Ｗｂが設けられており、本例の階段照明装置１は、階段２の前記下部分２ｂと上部分２ｃとで挟まれる壁体Ｗａの両壁面３、３に設けられたものを例示している。
【００１２】
前記階段２の各部分２ａないし２ｃは、図３に示す如く、前記壁体Ｗａ、Ｗｂに固定された一対のささら桁１０に、踏み板１１と蹴込み板１２とを架け渡して構成される。また階段２の各部分２ａないし２ｃの踏み板１１、蹴込み板１２は、側板１３と、その上部に配された雑巾摺り１４とを含む縁切り部材１５を介して壁体Ｗａ又はＷｂの壁面と縁切りされている。なお側板１３は、その下端縁が前記踏み板１１、蹴込み板１２に沿って階段状に切り欠かれるとともに上端縁が階段の勾配にそって傾斜してのびる。
【００１３】
前記階段照明装置１は、図１〜３に示すように、該階段２の勾配（踏み板１１の先端部を継ぐ直線の傾き）と略等しい傾斜でのびる長尺状の取付枠４と、この取付枠４に取り付けされかつ前記階段を照らす１以上の照明具５とから構成されている。
【００１４】
本実施形態の照明具５は、図４、図５に示す如く、複数個の発光ダイオードＤを取り付けした基板８と、この基板８を取付かつ収納しうるケース体９とを具える照明ユニットＵからなる。前記ケース体９は、他の照明ユニットＵ又はトランス等に接続しうるコネクタＰ等を設けた配線Ｌを外部にはみ出した状態で具えている。前記発光ダイオードＤは、特に限定はされないが、例えば小型かつ低価格しかも輝度が高い上に長寿命であるフラットタイプＬＥＤやドームレンズ型ＬＥＤなどを好ましく用いることができる。特にフラットタイプＬＥＤは、その指向角が大であるため、ダイオードの個数を減じつつ広範囲に光を照射しうる点で好ましい。
【００１５】
前記取付枠４は、本実施形態では、前記壁体Ｗｂの足元位置に設けられた雑巾摺り１４の上面に沿って配され、該雑巾摺り１４と略同長さをなす長尺体からなる。前記雑巾摺り１４は、踏み板１１に近接して配されるため、その上部に取付枠４を配することにより、効果的に踏み板１１を照光するのに役立つ。また取付枠４は、図４〜６の如く、前記壁面３に固着される基枠体６と、この基枠体６に脱着自在に取付けできかつ取付により長手方向にのびる空所Ｓを形成するカバー体７とから構成されている。
【００１６】
前記基枠体６は、図３のＡ−Ａ線端面図である図５、同Ｂ−Ｂ線端面図である図６に示すように、壁面３に沿ってのび該壁面３に固着される垂直な基片６ａと、該基片６ａの上下の端部から略水平に突出した上、下の突片６ｂ、６ｂとを含み、基枠体６の長さ方向にのびる開口Ｏを階段２側に向けて構成される。また基枠体６の前記上、下の突片６ｂは、その先端部分に、互いに相手側に向かってのびた後、前方に小長さで折り返された係止部６ｃがそれぞれ形成されたものを例示している。
【００１７】
前記カバー体７は、本実施形態では、前記照明具５の配線Ｌを覆うことにより該配線Ｌを目隠ししうる配線カバー部７Ａと、前記照明具５を覆う透光性材料からなる照明カバー部７Ｂとを含むものが例示される。
【００１８】
前記配線カバー部７Ａは、図４、図６に示す如く、取付により略垂直をなす基片７ａと、この基片７ａの上下の端部から略水平に突出した上、下の突片７ｂ、７ｂとを具えて構成される。また前記上、下の突片７ｂ、７ｂは、その先端部を弾性変形させて前記基枠体６の前記開口Ｏに挿入できかつ係止部６ｃに抜け止め係止される抜け止め部７ｄを具えている。従って、配線カバー部７Ａは、前記基枠体６の開口に向けて前記上下の突片７ｂを差し込むことにより、該基枠体６に容易に取り付けでき、かつ前記上下の突片７ｂを上下から挟んで弾性変形させることにより、基枠体６との係止を解き容易に取り外ししうる。また配線カバー部７Ａを前記基枠体６に係止することにより、取付枠４の内部に長手方向にのびる空所Ｓが形成される。
【００１９】
本実施形態では、この配線カバー部７Ｂは、樹脂材料からなる押出し成型品からなるが、その表面には例えば前記雑巾摺り１４などと色調、風合いを揃えた木質調の化粧仕上げが施され、前記空所Ｓに配された配線Ｌを効果的に目隠ししうる。従って、照明具５の配線Ｌが外部から視認されることなく、階段部分の美観が損なわれることを防止できる。
【００２０】
前記照明カバー部７Ｂは、図４、図５に示す如く、本例では前記照明具５を前記基枠体６に取り付けしうる第１の照明カバー部７Ｂ１と、この第１の照明カバー部７Ｂ１の外側に取り付けされる第２の照明カバー部７Ｂ２とを含むものを例示している。
【００２１】
前記第１の照明カバー部７Ｂ１は、照明具５の光を外部に透過させる必要があるため、例えば透明な透光性材料からなるが、その断面形状は前記配線カバー部７Ａと同一に構成されている。従って、図では同一の符号を付している。
【００２２】
また前記第２の照明カバー部７Ｂ２は、本例では凸面をなす拡散レンズ部７ｆと、その上端、下端からのびる取付片７ｇとからなり、該取付片７ｇは、前記第１の照明カバー部７Ｂ１を前記基枠体６に取り付けた際に形成される上下の溝部に嵌入されることにより、前記基枠体６に取り付けしうる。このような第２の照明カバー部７Ｂ２を設けることにより、照明具５の光を広範囲に拡散でき、足元を効果的に照らすことができる。なお第２の照明カバー部７Ｂ２は、図７に拡大して示すように、前記照明具５の両側に取り付けされた配線カバー部７Ａと第１の照明カバー部７Ｂ１との突き合わせ部ｊを覆う長さを有している。これにより、配線カバー部７Ａと第１の照明カバー部７Ｂ１との間の隙間等を目立ちにくくし、さらに階段照明装置１の美観を高めるのに役立つ。
【００２３】
以上のような階段照明装置１の施工は、先ず雑巾摺り１４に沿って壁面３に基枠体６を例えばビス、接着剤等を用いて固着する。次に、照明ユニット５を基枠体６の所定の位置に合わせ、基枠体６の開口Ｏから挿入する。次に前記第１の照明カバー部７Ｂ１を照明ユニット５に被せて押し込むことにより、第１の照明カバー部７Ｂ１の抜け止め部７ｄが基枠体６の係止部６ｃに抜け止め保持される。これにより、照明ユニット５が基枠体６の所定の位置に取り付けされる。
【００２４】
取り付けされた照明ユニット５は、前記第１の照明カバー部７Ｂ１とともに前記基枠体６に沿ってスライドでき、取付後においても必要な位置合わせを容易に行うことができる。次に、照明ユニット５からのびる配線Ｌを前記基枠体６に沿わせながら該基枠体６内に配し、コネクタＰを接続して必要な結線を行う。なお本例では、一つの照明ユニットＵは、複数段の踏み板１１を照らすのに十分な光量を具えている。従って、照明ユニットＵは、踏み板１１の複数段毎に例えば等間隔で配置されるのが好ましい。
【００２５】
また本実施形態では、図２に示した如く、例えば階上Ｆ２に交流電源に接続されたトランスＶを設け、該トランスＶから配線Ｌを用いて階段２の上部分２ｃを照らす第１の階段照明装置１Ａ、折れ曲がり部２ａを照らす第２の階段照明装置１Ｂ、及び下部分２ｂを照らす第３の階段照明装置１Ｃへとシリアルに各照明具５を接続している。
【００２６】
本実施形態では、前記階段２の折れ曲がり部２ａには、前記壁面３に該壁面３に沿って上下にのびる向きに取付枠４を配し、これに照明具５を設けた第２の階段照明装置１Ｂを具えたものを例示している。これにより、本実施形態では、折れ階段の上部分２ｃ、階段２の折れ曲がり部２ａ、さらには下部分２ｂのいずれにおいても、足元を確実に照らすことができ、効果的な階段照明装置を提供できる。
【００２７】
【発明の効果】
上述したように、請求項１記載の発明では、階段の一側端の壁面に、該階段の勾配と略等しい傾斜でのびる長尺状の取付枠を固着し、かつこの取付枠に、前記階段を照らす１以上の照明具を取付けている。従って壁面に照明具を取り付けるための開口部などを設けることなく照明具を取り付けでき、施工性を向上しうる。また取付枠が長尺状をなすことにより、階段の踏み面などに応じた好ましい位置に照明具を位置合わせして取り付けすることが可能となり、汎用性を向上しうる。さらに前記取付枠は、壁面に固着される基枠体と、この基枠体に脱着自在に取付けできかつ取付により長手方向にのびる空所を形成するカバー体とからなり、かつ前記照明具の配線を前記空所に納めるため、配線が邪魔にならず、美観を損ねることも防止しうる。また第２の照明カバー部は凸面をなす拡散レンズ部を具えるため、照明具の光を広範囲に拡散でき、足元を効果的に照らすことができる。
【００２８】
また請求項２記載の発明では、前記取付枠は、前記壁体の足元位置に設けられた雑巾摺りに沿って配されることにより、階段の段板付近を効果的に照光し得るほか、雑巾摺りとの一体性を高め、外観を向上するのに役立つ。
【００２９】
また請求項３記載の発明では、前記照明具は、前記基枠体にスライド自在に取り付けされることにより、階段に応じて照明具の位置を自在に調節することが可能となり、さらに施工性、汎用性を向上しうる。
【図面の簡単な説明】
【図１】本実施形態の階段照明装置を用いた階段部分の正面図である
【図２】その部分斜視図である。
【図３】階段の部分拡大図である。
【図４】階段照明装置の分解斜視図である。
【図５】図３のＡ−Ａ線端面図である。
【図６】図３のＢ−Ｂ線端面図である。
【図７】階段照明装置の拡大正面図である。
【符号の説明】
１  階段照明装置
２  階段
３  壁面
４  取付枠
５  照明具
６  基枠体
７  カバー体
【図１】
0003735027.tif 000002
【図２】
0003735027.tif 000003
【図３】
0003735027.tif 000004
【図４】
0003735027.tif 000005
【図５】
0003735027.tif 000006
【図６】
0003735027.tif 000007
【図７】
0003735027.tif 000008